(57)【要約】      （修正有）【課題】カードリーダーのコネクタ接地装置の提供。【解決手段】カードリーダー１０はケース１１内部の回路板１２が主体とされ、回路板上に電気設備との電気回路の接続を構成するためのＵＳＢポート１３が設けられ、並びに回路板上にメモリカードが挿入される少なくとも一つのコネクタ１４が設けられ、該コネクタの主体がプラスチック材料で一体成形され、且つ該コネクタの接地回路がＵＳＢポートの金属ケースに接続されて、ＵＳＢポートの金属ケースを介して電気設備の接地回路と接続され、これにより静電を有効に抑制し、且つコネクタの主体がプラスチック材料で一体に加工成形されることにより大幅に製造コストを下げることができる。【選択図】図２
0003109147.tif 000002
【実用新案登録請求の範囲】
【請求項１】
カードリーダーのケース内部の回路板がカードリーダーの主体とされ、該回路板上に電気設備との電気回路の接続を構成するためのＵＳＢポートが設けられ、並びに回路板上にメモリカードが挿入される少なくとも一つのコネクタが設けられたカードリーダーに適用されるカードリーダーのコネクタ接地装置において、
該コネクタの主体がプラスチック材料で一体成形されてなり挿入部とシールド板を具えた構造形態とされ、且つ該コネクタの接地回路がＵＳＢポートの金属ケースに接続されたことを特徴とする、カードリーダーのコネクタ接地装置。
【請求項２】
請求項１記載のカードリーダーのコネクタ接地装置において、コネクタの挿入部周囲に回路板と接続された少なくとも一つの金属ピンが設けられたことを特徴とする、カードリーダーのコネクタ接地装置。
【請求項３】
請求項１記載のカードリーダーのコネクタ接地装置において、回路板に少なくとも一つの集積回路が設けられたことを特徴とする、カードリーダーのコネクタ接地装置。
【請求項４】
請求項１記載のカードリーダーのコネクタ接地装置において、コネクタの接地回路が回路板のプリント回路を通してＵＳＢポートの金属ケースに接続されたことを特徴とする、カードリーダーのコネクタ接地装置。
【考案の詳細な説明】
【技術分野】
【０００１】
本考案はカードリーダー内部のコネクタの接地技術に係り、特に、コネクタ主体がプラスチック材料で一体加工成形され、その接地回路がＵＳＢポートに接続されて、カードリーダーの電気装置が外部静電干渉を受けるのを効果的に防止できるコネクタ接地構造に関する。
【背景技術】
【０００２】
図１に示されるのは周知のカードリーダーの内部構造である。そのうち、全体のカードリーダー１０はケース１１内部に設けられた回路板１２を主体とし、回路板１２にＵＳＢポート１３が設けられて電気設備の回路（図示せず）との接続に供されてカードリーダー１０と電気設備の電気回路の接続を構成し、またカードリーダー１０の運転に必要な電力を供給する。
【０００３】
また、回路板１１に少なくとも一つのコネクタ１４が設けられてメモリカードの挿入に供され、並びに回路板１１上に集積回路１５等の電気装置が設けられてカードリーダー１０の運転を制御し、並びに更にメモリカードと電気設備の電気回路の接続を構成する。
【０００４】
更に、一般にカードリーダー１０はメモリカードの挿入、交換に便利とするため、そのコネクタ１４の挿入部がケース１１の正面部分に配設され、並びにケース１１の正面にメモリカードを通過させる開口が設けられて、メモリカードをカードリーダー１０内部に挿入してコネクタ１４と確実に接合させられる。しかし、ケース１１のメモリカード通過用の開口はケース１１主体シールドが失われるセクションを形成し、外部の静電気が開口を通り直接ケース１１内部の回路板１２に至り、これにより内部の集積回路１５等の電気装置の損壊を形成し、更には集積回路１５等の電気装置の静電放電（ｅｌｅｃｔｒｏ−ｓｔａｔｉｃ  ｄｉｓｃｈａｒｇｅ；ＥＳＤ）がメモリカードに対して破壊を形成しうる。このためカードリーダー等ポータブル装置に応用されるコネクタは静電放電防止能力を具備すべく改善が求められる。
【０００５】
現在、カードリーダー１０に用いられている静電放電（ＥＳＤ）防止技術によると、コネクタ１４の外部を金属シールド層２０で被覆し、並びに金属シールド層２０とインダクタ、静電放電防護ダイオード等、被動装置を接続し、これにより静電放電（ＥＳＤ）能力を改善している。ただし、コネクタ１４の主体はプラスチック材料を射出成形され、その金属シールド層２０は金属加圧加工で形成され、このため、全体のコネクタ１４は異なる加工技術と設備を通して主体と金属シールド層２０の半製品製造を完成してから組立作業により金属シールド層２０とコネクタ１４の主体を結合させなければならず、このためコネクタの製造コストが増し、コネクタの生産能力を効果的に高めることができない。
【０００６】
特に、カードリーダー１０の有限な空間にあって、静電放電（ＥＳＤ）防止能力を改善するためには極めて小さい回路板１１にインダクタ、静電放電防護ダイオード等の被動装置を取付なければならず、このため回路板１１の空間が占用され、且つ関係回路の設計の幅が狭まる。
【考案の開示】
【考案が解決しようとする課題】
【０００７】
本考案は一種のカードリーダーのコネクタ接地装置を提供することを目的とし、該カードリーダーはケース内部の回路板が主体とされ、回路板上に電気設備との電気回路の接続を構成するためのＵＳＢポートが設けられ、並びに回路板上にメモリカードが挿入される少なくとも一つのコネクタが設けられ、該コネクタ接地装置は、該コネクタの主体がプラスチック材料で一体成形されて挿入部とシールド板を具えた構造形態とされ、且つ該コネクタの接地回路がＵＳＢポートの金属ケースに接続されて、ＵＳＢポートの金属ケースを介して電気設備の接地回路と接続され、これにより静電を有効に抑制するものとされる。
【０００８】
及び、コネクタの主体は、プラスチック射出成形設備のみを利用して加工成形され、これにより大幅に製造コストを下げることができ、金属シールド層の組付け作業を省略でき、大幅にコネクタの製造コストを減らし、並びにコネクタの生産能力を高めることができる。
【課題を解決するための手段】
【０００９】
請求項１の考案は、カードリーダーのケース内部の回路板がカードリーダーの主体とされ、該回路板上に電気設備との電気回路の接続を構成するためのＵＳＢポートが設けられ、並びに回路板上にメモリカードが挿入される少なくとも一つのコネクタが設けられたカードリーダーに適用されるカードリーダーのコネクタ接地装置において、
該コネクタの主体がプラスチック材料で一体成形されてなり挿入部とシールド板を具えた構造形態とされ、且つ該コネクタの接地回路がＵＳＢポートの金属ケースに接続されたことを特徴とする、カードリーダーのコネクタ接地装置としている。
請求項２の考案は、請求項１記載のカードリーダーのコネクタ接地装置において、コネクタの挿入部周囲に回路板と接続された少なくとも一つの金属ピンが設けられたことを特徴とする、カードリーダーのコネクタ接地装置としている。
請求項３の考案は、請求項１記載のカードリーダーのコネクタ接地装置において、回路板に少なくとも一つの集積回路が設けられたことを特徴とする、カードリーダーのコネクタ接地装置としている。
請求項４の考案は、請求項１記載のカードリーダーのコネクタ接地装置において、コネクタの接地回路が回路板のプリント回路を通してＵＳＢポートの金属ケースに接続されたことを特徴とする、カードリーダーのコネクタ接地装置としている。
【考案の効果】
【００１０】
本考案のカードリーダーのコネクタ接地装置は、ケース内部の回路板が主体とされ、回路板上に電気設備との電気回路の接続を構成するためのＵＳＢポートが設けられ、並びに回路板上にメモリカードが挿入される少なくとも一つのコネクタが設けられたカードリーダーに適用され、該コネクタの主体がプラスチック材料で一体成形され、且つ該コネクタの接地回路がＵＳＢポートの金属ケースに接続されて、ＵＳＢポートの金属ケースを介して電気設備の接地回路と接続され、これにより静電を有効に抑制し、且つコネクタの主体がプラスチック材料で一体に加工成形されることにより大幅に製造コストを下げることができる。
【考案を実施するための最良の形態】
【００１１】
本考案は一種のカードリーダーのコネクタ接地装置を提供し、そのカードリーダーの構造は図２及び図３に示されるようであり、ケース１１内部の回路板１２が全体のカードリーダー１０の主体とされ、回路板１２上にカードリーダー１０を使用する電気設備との電気回路の接続を構成し、カードリーダー１０の運転に必要な電力を提供するためのＵＳＢポート１３と、メモリカードが挿入される少なくとも一つのコネクタ１４が設けられ、並びに回路板１２上に全体のカードリーダー１０の運転を制御し、並びに更にメモリカードと電気設備の電気回路の接続を構成する集積回路１５等の電気装置が設けられている。
【００１２】
また、ケース１１の正面に、コネクタ１４の挿入部に対向するようにメモリカードを通過させる開口が設けられ、これによりメモリカードがカードリーダー１０の内部に挿入されてコネクタ１４と挿嵌接合され、メモリカードの挿入、交換に便利とされている。
【００１３】
本考案の重点は以下のとおりである。コネクタ１４の主体設計が、プラスチック材料を一体加工してなり挿入部１４１とシールド板１４２を具えた構造形態とされ、且つコネクタ１４の接地回路がＵＳＢポート１３の金属ケースに接続される（図示されるように、回路板１２のプリント回路がＵＳＢポート１３の金属ケースに直接接続されうる）。ＵＳＢポート１３の金属ケースと電気装置の接地回路の接続を通して、静電干渉を有効に抑制できるコネクタ接地構造が形成されて、静電放電（ＥＳＤ）防止機能を改善できる。
【００１４】
特に、全体のコネクタ１４の主体がプラスチック射出成形設備のみを利用して加工成形され、金属シールド層の組付け作業を省略でき、これにより大幅にコネクタの製造コストを減らし、並びにコネクタの生産能力を高めることができる。当然、実施時には、更にコネクタ１４のメモリカードの挿入に供される挿入部１４１周囲に別に回路板１２と接続された金属ピン１４３が設けられて、コネクタ１４と回路板１２が結合された構造とされ得て、並びにこれにより静電放電（ＥＳＤ）防止機能を補助するものとされる。
【００１５】
以上述べたように、本考案はカードリーダーのコネクタに良好な接地構造を提供する。なお、以上の実施例は本考案の実施範囲を限定するものではなく、本考案に基づきなしうる細部の修飾或いは改変は、いずれも本考案の請求範囲に属するものとする。
【図面の簡単な説明】
【００１６】
【図１】周知のカードリーダーの内部構造表示図である。
【図２】本考案のカードリーダーの内部構造表示図である。
【図３】本考案中、カードリーダーのコネクタと回路板の構造分解図である。
【符号の説明】
【００１７】
１０  カードリーダー          １１  ケース
１２  回路板                  １３  ＵＳＢポート
１４  コネクタ                １４１  挿入部
１４２  シールド板            １４３  金属ピン
１５  集積回路                ２０  金属シールド層
【図１】
0003109147.tif 000003
【図２】
0003109147.tif 000004
【図３】
0003109147.tif 000005